(57)【要約】【課題】モータのステータ及びファンを提供する。【解決手段】ステータは、ステータ極と、前記ステータ極を連結するヨークとを含むステータコアと、前記ステータコアの周りに巻き付けられる少なくとも１つの巻線と、外部電源と接続して、前記巻線に電力を供給するように構成され、前記ステータ極に隣接する前記ヨークの一端に位置する接続端子とを含む。換気ファンも提供される。【選択図】図１
2017192293.tif 000002
【特許請求の範囲】
【請求項１】
ステータ極と、前記ステータ極を連結するヨークとを含むステータコアと、
前記ステータコアの周りに巻き付けられる少なくとも１つの巻線と、
外部電源と接続して、前記巻線に電力を供給するように構成され、前記ステータ極に隣接する前記ヨークの一端に位置する接続端子と、
を備えることを特徴とするステータ。
【請求項２】
更に、前記ステータコアと前記巻線との間の巻線ブラケットを備え、前記接続端子は、前記巻線ブラケットに固定されることを特徴とする、請求項１に記載のステータ。
【請求項３】
前記ステータ極の数は、２つであり、前記ヨークは、Ｕ字形状であり、前記巻線ブラケットは、互いに並列に配置される第１のブラケット及び第２のブラケットを備え、前記第１のブラケット又は前記第２のブラケットは、巻線部と、前記巻線部の一端に配設される挿入部とを有し、前記接続端子は、前記挿入部に配設されることを特徴とする、請求項２に記載のステータ。
【請求項４】
更に、電子回路と、前記巻線ブラケットに配設される接続部材とを備え、前記接続部材は、別個に形成され、前記巻線を前記電子回路と電気的に接続することを特徴とする、請求項２又は３に記載のステータ。
【請求項５】
前記接続端子の数は、２つであり、前記電子回路及び前記巻線は、前記２つの接続端子の間に直列に接続され、前記２つの接続端子の一方は、前記電子回路と電気的に接続され、前記巻線の両端は、それぞれ、前記接続部材及び前記２つの接続端子の他方と電気的に接続されることを特徴とする、請求項４に記載のステータ。
【請求項６】
ステータ極と、前記ステータ極を連結するヨークとを含むステータコアと、
前記ステータコアの周りに巻き付けられる少なくとも１つの巻線と、
前記ステータコアと前記巻線との間に配置される巻線ブラケットであって、少なくとも１つの支持部が、前記ステータ極に隣接する前記巻線ブラケットの一端に配置される、巻線ブラケットと、
前記巻線ブラケットに固定され、前記少なくとも１つの支持部によって支持される回路板と、
を備えることを特徴とするステータ。
【請求項７】
前記ステータ極の数は、２つであり、前記ヨークは、Ｕ字形状であることを特徴とする、請求項６に記載のステータ。
【請求項８】
前記巻線ブラケットは、前記回路板を、前記２つのステータ極に隣接する一端だけで支持することを特徴とする、請求項６又は７に記載のステータ。
【請求項９】
インペラと、前記インペラを駆動するための単相モータとを備え、前記単相モータは、ロータと、請求項６乃至８のいずれか一項に記載のステータとを備えることを特徴とする換気ファン。
【請求項１０】
前記回路板は、前記インペラと反対側の前記巻線ブラケットの１つの側に取り付けられ、前記巻線に隣接し、前記インペラによって発生される気流は、前記回路板の上方を流れ、前記回路板を冷却することを特徴とする、請求項９に記載のファン。
【請求項１１】
前記インペラは、前記単相モータの大きさよりも大きい外径を有し、前記回路板及び前記巻線は、前記インペラによって発生される前記気流の流路内に位置することを特徴とする、請求項９に記載のファン。
【発明の詳細な説明】
【技術分野】
【０００１】
[0002]
本発明は、モータのステータ構造に関する。
【背景技術】
【０００２】
[0003]
永久磁石同期モータは、通常、食器洗浄機又は洗濯機のための排水ポンプ及び循環ポンプに用いられる。モータのステータは、通常、Ｕ字状のステータコアと、互いに並列に配置され、Ｕ字状のステータコアの２つの分岐部にそれぞれスリーブ嵌合される２つのブラケットを有する巻線ブラケットとを含む。従来、このようなモータは、モータのロータから離れた巻線ブラケットの一端に配置される２つの接続端子を介して、外部電源と接続される。
【発明の概要】
【課題を解決するための手段】
【０００３】
[0004]
一態様では、ステータ極と、前記ステータ極を連結するヨークとを含むステータコアと、前記ステータコアの周りに巻き付けられる少なくとも１つの巻線と、外部電源と接続して、前記巻線に電力を供給するように構成され、前記ステータ極に隣接する前記ヨークの一端に位置する接続端子とを含むステータを提供するものである。
【０００４】
[0005]
前記ステータは、更に、前記ステータコアと前記巻線との間の巻線ブラケットを含み、前記接続端子は、前記巻線ブラケットに固定されることが好ましい。
【０００５】
[0006]
前記ステータ極の数は、２つであり、前記ヨークは、Ｕ字形状であり、前記巻線ブラケットは、互いに並列に配置される第１のブラケット及び第２のブラケットを備え、前記第１のブラケット又は前記第２のブラケットは、巻線部と、前記巻線部の一端に配設される挿入部とを有し、前記接続端子は、前記挿入部に配設されることが好ましい。
【０００６】
[0007]
前記ステータは、更に、電子回路と、前記巻線ブラケットに配設される接続部材とを含み、前記接続部材は、別個に形成され、前記巻線を前記電子回路と電気的に接続することが好ましい。
【０００７】
[0008]
前記接続端子の数は、２つであり、前記電子回路及び前記巻線は、前記２つの接続端子の間に直列に接続され、前記２つの接続端子の一方は、前記電子回路と電気的に接続され、前記巻線の両端は、それぞれ、前記接続部材及び前記２つの接続端子の他方と電気的に接続されることが好ましい。
【０００８】
[0009]
前記接続部材、前記接続端子及び前記電子回路は、全て、前記巻線ブラケットに配設され、前記ステータ極に隣接する前記ヨークの一端に位置することが好ましい。
【０００９】
[0010]
前記電子回路は、前記接続端子に隣接して、前記接続端子と前記接続部材との間に配設される磁気センサを備えることが好ましい。
【００１０】
[0011]
別の態様では、ステータは、ステータ極と、前記ステータ極を連結するヨークとを含むステータコアと、前記ステータコアの周りに巻き付けられる少なくとも１つの巻線と、前記ステータコアと前記巻線との間に配置される巻線ブラケットであって、少なくとも１つの支持部が、前記ステータ極に隣接する前記巻線ブラケットの一端に配置される、巻線ブラケットと、前記巻線ブラケットに固定され、前記少なくとも１つの支持部によって支持される回路板とを含む。
【００１１】
[0012]
前記ステータ極の数は、２つであり、前記ヨークは、Ｕ字形状であることが好ましい。
【００１２】
[0013]
前記巻線ブラケットは、前記回路板を、前記２つのステータ極に隣接する一端だけで支持することが好ましい。
【００１３】
[0014]
前記ステータは、更に、前記巻線を前記回路板と電気的に接続する接続部材を含み、前記接続部材は、別個に形成され、前記回路板にはんだ付けされることが好ましい。
【００１４】
[0015]
前記ステータは、更に、本体と、電源に接続するための接続端部と、前記回路板と電気的に接続される接続部とを含む第１の接続端子を含み、前記第１の接続端子の前記本体、前記接続端部及び前記接続部は、全て、一体に形成されることが好ましい。
【００１５】
[0016]
前記ステータは、更に、本体と、前記電源に接続するための接続端部と、前記巻線と電気的に接続されるワイヤ接続部とを含む第２の接続端子を含み、前記第２の接続端子の前記本体、前記接続端部及び前記ワイヤ接続部は、全て、一体に形成されることが好ましい。
【００１６】
[0017]
前記回路板は、前記ステータ極から離れた前記巻線ブラケットの端部と重ならないことが好ましい。
【００１７】
[0018]
前記回路板は、磁気センサを含み、前記磁気センサ及び前記巻線は、それぞれ、前記支持部の２つの側に位置することが好ましい。
【００１８】
[0019]
前記回路板は、前記ステータ極に隣接する１つの側だけで支持されることが好ましい。
【００１９】
[0020]
更に別の態様では、単相モータは、ロータと、上記のステータとを含む。
【００２０】
[0021]
更に別の態様では、インペラを含む換気ファンを提供するものである。前記換気ファンは、更に、上記の単相モータを含む。前記インペラは、前記単相モータの回転軸に取り付けられて、前記回転軸によって駆動される。
【００２１】
[0022]
前記回路板は、前記インペラと反対側の前記巻線ブラケットの１つの側に取り付けられ、前記巻線に隣接し、前記インペラによって発生される気流は、前記回路板の上方を流れ、前記回路板を冷却することが好ましい。
【００２２】
[0023]
前記インペラは、前記単相モータの大きさよりも大きい外径を有し、前記回路板及び前記巻線は、前記インペラによって発生される前記気流の流路内に位置することが好ましい。
【図面の簡単な説明】
【００２３】
【図１】本発明の一実施形態によるモータの斜視図である。
【図２】図１のモータの斜視分解図である。
【図３】別の側面から見た、図１のモータの斜視図である。
【図４】図３のモータの斜視分解図である。
【図５】更に別の側面から見た、図１のモータの斜視図である。
【図６】図５のモータの斜視分解図である。
【図７】図１のモータの部分分解図である。
【図８】別の側面から見た、図７のモータの部分分解図である。
【図９】図１のモータのステータの斜視図である。
【図１０】別の側面から見た、図９のモータのステータの斜視図である。
【図１１】図９のステータの斜視分解図である。
【図１２】別の側面から見た、図１１のステータの斜視分解図である。
【図１３】巻き付け工程時の図９のステータの巻線ブラケットを示す図である。
【図１４】図１のモータの回路図である。
【図１５】図１の線ＸＶ−ＸＶに沿って切った、図１のモータの断面図である。
【図１６】図１のモータのベース本体の斜視図である。
【図１７】図１のモータの保護カバーの上面図である。
【図１８】図１のモータの組立方法の流れ図である。
【図１９】図１のモータのステータの組立方法の流れ図である。
【図２０】本発明の一実施形態による換気ファンを示す図である。
【図２１】図２０の換気ファンのモータアセンブリを示す図である。
【図２２】図２１の単相モータの絶縁ブラケットを示す図である。
【図２３】図２１の単相モータのステータコアの平面図である。
【図２４】図２１の単相モータのステータコア及びロータの平面図である。
【図２５】図２３のステータコアの分解図である。
【図２６】図２１の単相モータのロータを示す図である。
【図２７】図２６のロータの分解図である。
【図２８】図２６のロータの分解図である。
【図２９】図２０の換気ファンを用いる電子装置を示す図である。
【発明を実施するための形態】
【００２４】
[0052]
本発明の実施形態の技術的解決手段について、添付図面を参照して、以下のように、明瞭且つ完全に説明する。下記の実施形態は、本発明の実施形態の全てではなく、その一部にすぎないことは明らかである。本開示の実施形態に基づいて、何ら創作努力を払うことなく当業者によって得られる他のいずれの実施形態も、本発明の保護範囲に属する。
【００２５】
[0053]
ある部品が他の部品に「接続（連結）される（connected）」と記載されている場合、その部品を前記他の部品に直接接続（連結）することができるか、又は、中間部品が存在し得ることに留意されたい。
【００２６】
[0054]
特に明記していない限り、全ての技術用語及び科学用語は、当業者により理解される普通の意味を有する。本開示で用いられる用語は、限定的なものではなく、例示的なものである。本開示で用いられる「及び／又は」という語は、記載した１つ以上の関連する要素のどの組み合わせも全て含まれることを意味する。
【００２７】
[0055]
図１を参照すると、本発明の一実施形態によるモータ１は、外部装置を駆動して、外部装置を回転又は駆動して、伝動装置を介して並進運動するように構成される。外部装置は、電力で動作する装置（通信装置又は電気装置等）、又は電源無しで動作する装置（車両ウィンドウ等）にすることができる。この実施形態では、モータ１は、洗濯機、食器洗浄機又は水ポンプなどの製品に用いることができるインペラ２を駆動するように構成される。この実施形態のモータ１は、インナーロータ単相モータにすることができる。別の実施形態では、モータ１は、アウターロータモータ又は単相永久磁石モータなどの他の型にすることができる。
【００２８】
[0056]
図１〜図６を参照すると、モータ１は、ステータ１０と、ロータ３０と、ロータ３０を覆うベース本体５０と、ベース本体５０とスナップ嵌合される保護カバー７０とを含む。ロータ３０及びロータ３０を覆うベース本体５０は、一緒に、ステータ１０の一部を貫通し、保護カバー７０は、ステータ１０の少なくとも一部を覆う。
【００２９】
[0057]
ステータ１０は、巻線ブラケット１１と、接続部材１２と、２つの接続端子１３と、ステータコア１４と、巻線１６と、電子回路とを含む。接続部材１２及び接続端子１３は、巻線ブラケット１１に配設され、巻線ブラケット１１は、ステータコア１４に取り付けられる。巻線１６は、巻線ブラケット１１の周りに巻き付けられる。巻線１６の２つのワイヤ端部は、例えば、はんだ付け、ラップ接続、巻き付け端子接続、又は間接接続によって、接続部材１２及び２つの接続端子１３の一方（第１の接続端子１３０）とそれぞれ接続される。電子回路は、巻線ブラケット１１に配設され、接続部材１２及び２つの接続端子１３の他方（第２の接続端子１３１）とそれぞれ接続される。２つの接続端子を用いて、電源と接続することが好ましい。この実施形態では、電子回路は、回路板１７を含む。この実施形態では、巻線１６は、単相巻線である。
【００３０】
[0058]
巻線ブラケット１１は、絶縁材料からなり、この実施形態では、巻線ブラケット１１は、プラスチック部材である。別の実施形態では、巻線ブラケット１１は、他の絶縁材料から形成することができる。
【００３１】
[0059]
巻線ブラケット１１は、互いに相対的に回転可能に連結される第１のブラケット１１１及び第２のブラケット１１２を含む。第１のブラケット１１１は、第１の巻線部１１３と、第１の巻線部１１３に配設される第１の挿入部１１４及び第１の支持部１１５とを含む。第２のブラケット１１２は、第１の巻線部１１３と並列な第２の巻線部１１６と、第２の巻線部１１６に配設される第２の挿入部１１７と、第２の巻線部１１６に配設される第２の支持部１１８と、第２の挿入部１１７に配設される第３の支持部１１９とを含む。第１の巻線部１１３及び第２の巻線部１１６は、互いに相対的に回転可能に連結される。第１の支持部１１５、第２の支持部１１８及び第３の支持部１１９は、同じ高さを有するが、同じ直線上に位置しない。すなわち、第１の支持部１１５、第２の支持部１１８及び第３の支持部１１９は、回路板１７を支持するための支持平面を形成することができる。この実施形態では、第１の支持部１１５及び第２の支持部１１８は、平行に配置され、第３の支持部１１９は、第１の支持部１１５及び第２の支持部１１８に対して垂直である。
【００３２】
[0060]
また、図７〜図１２を参照すると、第１の巻線部１１３は、略「Ｉ」字状であり、第１の方向（Ｘ軸方向と仮定する）に延在する巻線コラム１１３０と、巻線コラム１１３０の２つの端部にそれぞれ配設される第１の絶縁板１１３１及び第２の絶縁板１１３２とを含む。第１の絶縁板１１３１及び第２の絶縁板１１３２は、互いに略平行であり、両方とも、巻線コラム１１３０に対して垂直である。すなわち、第１の絶縁板１１３１及び第２の絶縁板１１３２は、両方とも、ＹＺ平面に対して平行であり、ここで、Ｙ軸は、第２の方向に延び、Ｚ軸は、第３の方向に延び、第１の方向、第２の方向及び第３の方向は、互いに垂直である。第１の巻線部１１３は、Ｘ軸方向に沿って、第１の絶縁板１１３１、巻線コラム１１３０及び第２の絶縁板１１３２を貫通する第１の貫通穴１１３３を形成する。この実施形態では、巻線部の要素の構造的関係を理解し易くするため、この３つの方向を採用する。これらの要素は、これらの方向に配置されるとは限らないことを理解されたい。
【００３３】
[0061]
第２の絶縁板１１３２と反対側の第１の絶縁板１１３１の端面には、２つの第１のスナップ嵌合部１１３４が設けられる。この実施形態では、第１のスナップ嵌合部１１３４は、係止スロットである。他の実施形態では、第１のスナップ嵌合部１１３４は、突出部、フック等のような他のスナップ嵌合構造にすることができる。第２の絶縁板１１３２は、ワイヤ締め付け溝１１３５を形成する。この実施形態では、ワイヤ締め付け溝１１３５は、略Ｖ字状であり、Ｘ軸に対して垂直な２つの端面及び第２のブラケット１１２と反対側の側面を貫通する。巻線コラム１１３０と反対側の第２の絶縁板１１３２の端面から、突起が突出する。突起は、概ね
2017192293.tif 000003
形状であり、第１の貫通穴１１３３の端縁に配設される。
【００３４】
[0062]
第１の挿入部１１４は、ワイヤ締め付け溝１１３５及び突起に隣接して、第２の絶縁板１１３２に配設される。この実施形態では、第１の挿入部１１４及び第２の絶縁板１１３２は、一体に形成される。他の実施形態では、第１の挿入部１１４は、第２の絶縁板１１３２に取り付けるか又は組み付けることができる。
【００３５】
[0063]
第１の挿入部１１４は、接続部材１２を収容するための第１の収容スロット１１４１を形成する。第１の収容スロット１１４１は、ＸＹ平面に対して平行な第１の挿入部１１４の面を、Ｘ軸に対して垂直且つ第２の絶縁板１１３２に対して平行な方向（すなわち、Ｚ軸方向）にへこませることによって、形成される。この実施形態では、第１の収容スロット１１４１は、略「凸」状である。
【００３６】
[0064]
巻線コラム１１３０と反対側の第１の挿入部１１４の面（ＹＺ平面に対して平行）は、第１の収容スロット１１４１と連通する溝１１４２を形成する。
【００３７】
[0065]
この実施形態では、第１の支持部１１５、第１の挿入部１１４及び第２の絶縁板１１３２は、全て、一体に形成される。他の実施形態では、第１の支持部１１５は、第１の挿入部１１４及び第２の絶縁板１１３２の一方のみと一体に形成するか又はこれに連結することができる。第１の支持部１１５は、概ね棒状であり、第１の挿入部１１４の高さよりも大きいＺ軸方向の高さを有する。第１の挿入部１１４から離れた第１の支持部１１５の端縁は、第２の絶縁板１１３２の端縁と略同一平面上にある。しかしながら、他の実施形態では、第１の支持部１１５及び第２の絶縁板１１３２の端縁は、他の部品の配置に影響を及ぼさない限り、互いに同一平面上になくてもよい。この実施形態では、第１の支持部１１５の端縁は、第２の絶縁板１１３２の端縁と同一平面上にある。第１の支持部１１５のコーナー部は、更に、Ｚ軸方向に沿って延在する案内溝１１５１を形成する。
【００３８】
[0066]
第２の巻線部１１６は、第１の巻線部１１３と同様の形状を有する。第２の巻線部１１６は、略「Ｉ」字状であり、Ｘ軸方向に延在する巻線コラム１１６０と、巻線コラム１１６０の２つの端部にそれぞれ配設される第３の絶縁板１１６１及び第４の絶縁板１１６２とを含む。第３の絶縁板１１６１及び第４の絶縁板１１６２は、互いに略平行であり、両方とも、巻線コラム１１６０に対して垂直である。すなわち、第３の絶縁板１１６１及び第４の絶縁板１１６２は、両方とも、ＹＺ平面に対して平行であり、第３の絶縁板１１６１及び第１の絶縁板１１３１は、同じ平面上に位置し、第４の絶縁板１１６２及び第２の絶縁板１１３２は、同じ平面上に位置する。第２の巻線部１１６は、Ｘ軸方向に沿って、第３の絶縁板１１６１、巻線コラム１１６０及び第４の絶縁板１１６２を貫通する第２の貫通穴１１６３を形成する。
【００３９】
[0067]
また、図１３を参照すると、第３の絶縁板１１６１の端縁は、第１の絶縁板１１３１の端縁と回転可能に連結される。この実施形態では、第３の絶縁板１１６１の端縁は、第１の絶縁板１１３１の端縁と一体に形成され、連結領域の材料厚さは、第３の絶縁板１１６１又は第１の絶縁板１１３１の材料厚さよりも小さく、第３の絶縁板１１６１及び第１の絶縁板１１３１は、第３の絶縁板１１６１が第１の絶縁板１１３１に対して平行であり且つ第１の絶縁板１１３１と積層される位置に対して、相対的に回転可能である。
【００４０】
[0068]
第４の絶縁板１１６２と反対側の第３の絶縁板１１６１の端面には、２つの第２のスナップ嵌合部１１６４が設けられる。この実施形態では、第２のスナップ嵌合部１１６４は、突出部である。他の実施形態では、第２のスナップ嵌合部１１６４は、スロット、フック等のような、第１のスナップ嵌合部１１３４と係合するための他のスナップ嵌合構造にすることができる。第３の絶縁板１１６１及び第１の絶縁板１１３１が、第３の絶縁板１１６１及び第１の絶縁板１１３１が互いに平行であり且つ互いに積層される位置に対して、相対的に回転すると、２つの第２のスナップ嵌合部１１６４は、２つの第１のスナップ嵌合部１１３４と係合して、復元力により、第３の絶縁板１１６１及び第１の絶縁板１１３１の後退を防止することによって、確実に、第３の絶縁板１１６１及び第１の絶縁板１１３１は、同じ直線上に配置され、ひいては、巻き付けを容易にする。第３の絶縁板１１６１は、更に、第１の絶縁板１１３１に隣接する側面に、ワイヤ案内溝１１６５を形成して、巻き付けを容易にする。
【００４１】
[0069]
第４の絶縁板１１６２は、ワイヤ締め付け溝１１６６を形成する。この実施形態では、ワイヤ締め付け溝１１６６は、略Ｖ字状であり、Ｘ軸に対して垂直な２つの端面及び第１のブラケット１１１と反対側の側面を貫通する。
【００４２】
[0070]
第２の挿入部１１７は、ワイヤ締め付け溝１１６６に隣接して、第４の絶縁板１１６２に配設される。この実施形態では、第２の挿入部１１７及び第４の絶縁板１１６２は、一体に形成される。他の実施形態では、第２の挿入部１１７は、第４の絶縁板１１６２に取り付けるか又は組み付けることができる。
【００４３】
[0071]
第２の挿入部１１７は、２つの接続端子１３を収容するための２つの第２の収容スロット１１７１を形成する。第２の収容スロット１１７１は、第１の収容スロット１１４１と同様の形状を有する。２つの第２の収容スロット１１７１は、互いに略平行であるが、互いにオフセットされて配置される。
【００４４】
[0072]
この実施形態では、第２の支持部１１８及び第４の絶縁板１１６２は、一体に形成される。第２の支持部１１８は、概ね棒状であり、第１の支持部１１５と並列に配置される。第２の支持部１１８は、第１の支持部１１５の高さに等しいＺ軸方向の高さを有する。第２の挿入部１１７から離れた第２の支持部１１８の端縁は、第４の絶縁板１１６２の端縁と略同一平面上にある。しかしながら、他の実施形態では、第２の支持部１１８及び第４の絶縁板１１６２の端縁は、他の部品の配置に影響を及ぼさない限り、互いに同一平面上になくてもよい。この実施形態では、第２の支持部１１８の端縁は、第４の絶縁板１１６２の端縁と同一平面上にある。
【００４５】
[0073]
この実施形態では、第３の支持部１１９は、第２の挿入部１１７と一体に形成され、Ｚ軸方向に沿って延在し、第２の支持部１１８に隣接する第２の挿入部１１７の面（ＸＺ平面に対して平行）に位置する。この実施形態では、第３の支持部１１９は、第２の支持部１１８の高さに等しいＺ軸方向の高さを有する。他の実施形態では、第３の支持部１１９は、第４の絶縁板１１６２に配設することもできる。
【００４６】
[0074]
別の実施形態では、第１の支持部１１５、第２の支持部１１８及び第３の支持部１１９は、省略することができるか、又は、第１の支持部１１５、第２の支持部１１８及び第３の支持部１１９のうちの１つ又は２つだけを形成する。第１の支持部１１５、第２の支持部１１８及び第３の支持部１１９が省略される実施形態では、回路板１７は、接続部材１２及び第１の接続端子１３０だけで支持される。
【００４７】
[0075]
別の実施形態では、巻線は、本明細書に記載されるものと異なる構造を有することができ、回路板１７は、他の手段によって、巻線ブラケットに支持されることができる。
【００４８】
[0076]
別の実施形態では、第１の絶縁板１１３１及び第３の絶縁板１１６１は、互いに分離することができ、第１のブラケット１１１及び第２のブラケット１１２は、２つの別個の部品にすることができる。巻き付け工程時、第１のブラケット１１１及び第２のブラケット１１２は、端と端を突き合せて連結される。
【００４９】
[0077]
他の実施形態の巻線ブラケット１１の構造を、上記のものに限定することを意図するものではないことを理解されたい。更に、巻線ブラケット１１の構造及び向きの理解を容易にするため、一体形成された巻線ブラケット１１は、上記の説明の挿入部や支持部などの部品に分割される。他の実施形態では、巻線ブラケット１１は、これらの構造を有さなくてもよい。
【００５０】
[0078]
接続部材１２は、導電性材料からなり、第１の収容スロット１１４１に挿入され、接続部材１２を用いて、回路板１７を巻線１６と電気的に接続する。接続部材１２は、別個に形成され、その後、回路板１７にはんだ付けされる。この実施形態では、接続部材１２は、概ねシート状である。接続部材１２は、本体１２１と、本体１２１から屈曲されるワイヤ接続部１２３と、本体１２１の一端と連結される固定部１２５と、本体１２１の他端と連結される接続部１２７とを含む。本体１２１、ワイヤ接続部１２３、固定部１２５及び接続部１２７は、一体に形成される。本体１２１は、開口部１２１１を形成し、ワイヤ接続部１２３は、開口部１２１１の端縁に隣接して配設される。この実施形態では、ワイヤ接続部１２３は、本体１２１から切削される部分を屈曲させることによって、形成される。別の実施形態では、ワイヤ接続部１２３は、本体１２１を型打ちすることによって、形成することができるか、又は、代替的に、ワイヤ接続部１２３は、本体１２１に組み付けられる別個の部品として形成することができる。
【００５１】
[0079]
固定部１２５は、第１の収容スロット１１４１に挿入して、接続部材１２を第１の挿入部１１４に固定するように構成される。固定部１２５の２つの側の両方に、歯が形成されて、固定効果を高める。更に、突出部１２５１が、固定部１２５から突出して、第１の収容スロット１１４１内の固定部１２５の連結強度を更に高める。突出部１２５１には、斜切面が形成されて、第１の収容スロット１１４１への接続部材１２の挿入及び第１の収容スロット１１４１からの接続部材１２の取り外しを容易にし、突出部１２５１は、溝１１４２にスナップ嵌合される。接続部１２７及び本体１２１は、同じ平面上に位置し、ワイヤ接続部１２３に対して略垂直である。この実施形態では、接続部１２７は、本体１２１を切削することによって、形成される。別の実施形態では、接続部１２７は、本体１２１に組み付けられる別個の部品にすることもできる。この実施形態では、接続部材１２は、ＹＺ平面に沿って、第１の挿入部１１４に配設され、ワイヤ接続部１２３は、Ｘ軸方向に沿って配設される。他の実施形態では、接続部材１２は、任意の適切な向きを有することができる。
【００５２】
[0080]
２つの接続端子１３（すなわち、第１の接続端子１３０及び第２の接続端子１３１）は、それぞれ、２つの第２の挿入部１１７に挿入される。２つの接続端子１３は、電源端子として働く。この実施形態では、２つの接続端子１３の各々は、別個に形成される。
【００５３】
[0081]
第２の接続端子１３１は、本体１３１１と、本体１３１１から屈曲されるワイヤ接続部１３１３と、本体１３１１の一端と連結される固定部１３１５と、本体１３１１の他端と連結される接続端部１３１７とを含む。接続端部１３１７は、電源と接続するように構成される。本体１３１１は、開口部を形成し、ワイヤ接続部１３１３は、開口部の端縁に隣接して配設される。この実施形態では、ワイヤ接続部１３１３は、本体１３１１から切削される部分を屈曲させることによって、形成される。別の実施形態では、ワイヤ接続部１３１３は、本体１３１１を型打ちすることによって、形成することができるか、又は、代替的に、ワイヤ接続部１３１３は、本体１３１１に組み付けられる別個の部品として形成することができる。
【００５４】
[0082]
固定部１３１５は、第２の収容スロット１１７１の一方に挿入して、第２の接続端子１３１を第２の挿入部１１７に固定するように構成される。固定部１３１５の２つの側の両方に、歯が形成されて、固定効果を高める。更に、突出部が、固定部１３１５から突出して、第２の収容スロット１１７１内の固定部１３１５の連結強度を更に高める。突出部には、斜切面が形成されて、第２の収容スロット１１７１への第２の接続端子１３１の挿入及び第２の収容スロット１１７１からの第２の接続端子１３１の取り外しを容易にする。接続端部１３１７及び本体１３１１は、同じ平面上に位置し、ワイヤ接続部１３１３に対して略垂直である。この実施形態では、接続端部１３１７、本体１３１１及びワイヤ接続部１３１３は、一体に形成される。別の実施形態では、接続端部１３１７は、本体１３１１に組み付けられる別個の部品にすることもできる。この実施形態では、第２の接続端子１３１は、ＸＺ平面に沿って、第２の挿入部１１７に配設され、ワイヤ接続部１３１３は、Ｙ軸方向に沿って配設される。他の実施形態では、第２の接続端子１３１は、任意の適切な向きを有することができる。
【００５５】
[0083]
第１の接続端子１３０は、本体１３３１と、本体１３３１から屈曲される接続部１３３３と、本体１３３１の一端と連結される固定部１３３５と、本体１３３１の他端と連結される接続端部１３３７とを含む。接続部１３３３は、回路板１７を固定し、回路板１７に電気的に接続され、接続端部１３３７は、電源と接続するように構成される。この実施形態では、接続部１３３３は、概ね
2017192293.tif 000004
形状であり、本体１３３１の端縁から屈曲される。固定部１３３５は、第２の収容スロット１１７１の他方に挿入して、第１の接続端子１３０を第２の挿入部１１７に位置決めするように構成される。固定部１３３５の２つの側の両方に、歯が形成されて、固定効果を高める。更に、突出部が、固定部１３３５から突出して、第２の収容スロット１１７１内の固定部１３３５の連結強度を更に高める。突出部には、斜切面が形成されて、第２の収容スロット１１７１への第１の接続端子１３０の挿入及び第２の収容スロット１１７１からの第１の接続端子１３０の取り外しを容易にする。接続端部１３３７及び本体１３３１は、同じ平面上に配設され、接続端部１３３７は、第２の接続端子１３１の接続端部１３１７と並列に配置され、接続端部１３１７から離間される。
【００５６】
[0084]
別の実施形態では、２つの接続端子１３は、巻線ブラケット１１の他端に配設することができる。
【００５７】
[0085]
ステータコア１４は、１対の対向するステータ極１４１と、１対のステータ極１４１を連結するＵ字状のヨーク１４５とを含む。ヨーク１４５は、１対のステータ極１４１とそれぞれ連結される１対のヨーク分岐部１４３と、１対のヨーク分岐部１４３を連結する連結部１４４とを含む。第１のブラケット１１１及び第２のブラケット１１２は、それぞれ、２つのヨーク分岐部１４３の周囲に取り付けられる。各ステータ極１４１は、内方に凹む円弧極面を含み、２つのステータ極１４１は、協働して、略円形の断面を有する通路１４１１を形成して、ロータ３０を貫通させる。ヨーク分岐部１４３は、各々、概ね細長く、互いに略並列に配置される。この実施形態では、２つのヨーク分岐部１４３は、Ｘ軸方向に延在する。各ヨーク分岐部１４３及び１つの関連するステータ極１４１は、複数のラミネーションを積層することによって、一体に形成される。ステータ極１４１と反対側の各ヨーク分岐部１４３の端部から、突出部１４３１が突出する。連結部１４４は、複数のラミネーションを積層することによって、形成される。連結部１４４は、２つの離間する掛止溝１４５１を形成する。２つのヨーク分岐部１４３の突出部１４３１は、それぞれ、掛止溝１４５１に、着脱可能に掛止される。この実施形態では、掛止溝１４５１は、ダブテール溝である。この実施形態では、３つの支持部は、全て、ステータ極１４１に隣接する巻線ブラケット１１の一端に配設され、回路板１７は、３つの支持部によって支持される。
【００５８】
[0086]
電子回路及び巻線１６は、第１の接続端子１３０と第２の接続端子１３１との間に直列に接続され、巻線１６及び電子回路は、間接的に電気的に接続される。巻線１６は、巻線コラム１１３０及び巻線コラム１１６０の周りに巻き付けられる。この実施形態では、巻線１６は、第１のワイヤ端部１６１及び第２のワイヤ端部１６２を有する単一のワイヤを用いて、巻き付けられる。第１のワイヤ端部１６１は、接続部材１２のワイヤ接続部１２３の周りに巻き付けられ、はんだ付けされ、第２のワイヤ端部１６２は、第２の接続端子１３１のワイヤ接続部１３１３の周りに巻き付けられ、はんだ付けされる。巻線１６を作製する際、まず、第１のワイヤ端部１６１が、ワイヤ接続部１２３の周りに巻き付けられ、次に、ワイヤが、巻線コラム１１３０の周りに巻き付けられる。巻線コラム１１３０の周りの巻き付けが完了した後、ワイヤは、引っ張られて、第３の絶縁板１１６１のワイヤ案内溝１１６５を通る。ワイヤ案内溝１１６５を通るワイヤは、巻線コラム１１６０の周りに連続的に巻き付けられ、その後、第２のワイヤ端部１６２は、ワイヤ接続部１３１３の周りに巻き付けられ、余分なワイヤは、切断される。最後に、第１のワイヤ端部１６１は、ワイヤ接続部１２３にはんだ付けされ、第２のワイヤ端部１６２は、ワイヤ接続部１３１３にはんだ付けされる。
【００５９】
[0087]
この実施形態では、ステータ極１４１に隣接する回路板１７の１つの側のみが、ステータ極１４１に隣接する巻線ブラケット１１の一端によって支持され、回路板１７は、ステータ極１４１から離れた巻線ブラケット１１の一端と重ならない。また、図１４を参照すると、回路板１７は、接続部材１２、第１の接続端子１３０、第１のブラケット１１１及び第２のブラケット１１２に支持される。回路板１７は、回路基板１７１と、回路基板１７１に接続される、交流（ＡＣ）スイッチ１７２、電圧降下抵抗器１７３、感温スイッチ１７５及び磁気センサ１７６とを含む。
【００６０】
[0088]
ＡＣスイッチ１７２、電圧降下抵抗器１７３、感温スイッチ１７５及び磁気センサ１７６は、全て、回路基板１７１のステータコア１４に隣接する側に位置することが好ましい。感温スイッチ１７５は、回路板１７を越えて突出し、巻線ブラケット１１の２つの端部の間で、ステータ極１４１に近づく方向及び遠ざかる方向に延在する。磁気センサ１７６及び巻線１６は、第１の支持部１１５及び／又は第２の支持部１１８の２つの側に位置する。磁気センサ１７６は、２つの接続端子１３と接続部材１２との間、且つ、ステータ極１４１に隣接するヨーク１４５の端部に、２つの接続端子１３に隣接して配設される。
【００６１】
[0089]
好ましくは、本実施形態の回路の実施は、本出願人によって出願されたＰＣＴ出願番号ＰＣＴ／ＣＮ２０１５／０８６４２２に記載される回路を指すものであり、この出願の開示内容全体は、引用により本明細書に組み込まれる。
【００６２】
[0090]
別の実施形態によれば、回路は、全て、電子部品に集積することができる。電子部品は、回路基板に配設することができるか、又は、代替的に、ステータに独立して固定し、第２の接続端子及び巻線と直接的又は間接的に電気的に接続することができ、これは、回路板を設ける必要がない。
【００６３】
[0091]
もちろん、回路板１７は、上記の回路以外の回路を随意に搭載することができる。
【００６４】
[0092]
この実施形態では、磁気センサ１７６は、ホールＩＣである。
【００６５】
[0093]
この実施形態では、回路基板１７１は、略正方形である。回路基板１７１は、接続部材１２の接続部１２７及び第１の接続端子１３０の接続部１３３３を挿入するための２つの離間する挿入開口部１７１１を形成する。挿入開口部１７１１は、回路基板１７１の２つの隣り合うコーナーに隣接して位置する略正方形の穴である。回路基板１７１上の種々の電子部品の位置の説明を容易にするため、回路基板１７１は、２つの挿入開口部１７１１を結ぶ線によって、第１の部分１７１３及び第２の部分１７１５に分割される。２つの挿入開口部１７１１は、それぞれ、回路基板１７１の２つの隣り合うコーナーに隣接して位置するので、第１の部分１７１３及び第２の部分１７１５は、異なる面積を有する。面積が小さい方の部分は、第１の部分１７１３と定義され、面積が大きい方の部分は、第２の部分１７１５と定義される。
【００６６】
[0094]
接続部材１２の接続部１２７及び第１の接続端子１３０の接続部１３３３は、それぞれ、２つの挿入開口部１７１１に挿入されて、回路基板１７１は、第１の支持部１１５、第２の支持部１１８及び第３の支持部１１９に支持される。接続部材１２の接続部１２７及び第１の接続端子１３０の接続部１３３３は、回路基板１７１にはんだ付けされる。
【００６７】
[0095]
磁気センサ１７６は、１つの挿入開口部１７１１に隣接して、回路基板１７１の第１の部分１７１３に配設される。磁気センサ１７６は、回路基板１７１に対して略垂直であり、回路基板１７１からステータ極１４１に近い位置に延在し、通路１４１１の１つの側に配設されて、ロータの回転を検出し易くする。ＡＣスイッチ１７２、電圧降下抵抗器１７３及び感温スイッチ１７５は、全て、回路基板１７１の第２の部分１７１５に配設される。感温スイッチ１７５は、回路基板１７１から延出し、巻線１６の近くに配設されて、正確な温度検出を行うようになっている。
【００６８】
[0096]
この実施形態では、ワイヤ端部１６は、回路板１７に直接はんだ付けされる代わりに、接続部材１２を介して、回路板１７に接続され、これにより、回路板１７の構造を大いに簡素化する。更に、この実施形態の回路基板１７１は、面積が小さく、第１の方向の長さが巻線コラムの長さよりも小さく、巻線ブラケット１１の単一の端部でのみ支持され、巻線ブラケット１１の両端で支持される必要がなく、その結果、コストが削減され、組立が容易になる。
【００６９】
[0097]
また、図１５を参照すると、ロータ３０は、回転軸３１と、回転軸３１に固定される磁石３３と、第１の軸受３７と、第２の軸受３９とを含む。インペラ２は、回転軸３１に取り付けられる。第１の軸受３７及び第２の軸受３９は、磁石３３の２つの端部で、回転軸３１の周囲に取り付けられる。この実施形態では、磁石３３は、射出成形によって形成される保持ブラケット３５を介して、回転軸３１に固定される。
【００７０】
[0098]
また、図１６を参照すると、ベース本体５０は、カバー５１と、カバー５１と連結される取付部５３とを含む。カバー５１は、形状が、概ね中空円筒体であり、収容空間５１１を形成する。カバー５１は、ロータ３０を覆い、回転軸３１は、第１の軸受３７及び第２の軸受３９によって支持されて、カバー５１に対して相対的に回転する。取付部５３は、モータ１を使用環境に組み込んで組み付けるのを容易にし、保護カバー７０をベース本体５０に取り付けることができる。取付部５３は、カバー５１と連結される第１の組付部５３１と、第１の組付部５３１と連結される第２の組付部５３２とを含む。この実施形態では、第１の組付部５３１は、略円形状であり、第２の組付部５３２は、略矩形状である。
【００７１】
[0099]
複数の位置決めポスト５３１１が、カバー５１に隣接する第１の組付部５３１の面から突出し、ボス５３１３及び複数の位置制限部５３１５が、カバー５１と反対側の第１の組付部５３１の面から突出する。位置決めポスト５３１１は、カバー５１を取り囲んで配設される。各位置決めポスト５３１１は、形状が、概ね円形円筒体であり、その中心軸に沿って、貫通穴を形成する。ボス５３１３は、略円形であり、収容空間５１１と連通するように内方に凹んだ中心を有する。シールリング５３１７が、ボス５３１３の外側面の周囲に取り付けられる。位置制限部５３１５は、ボス５３１３の外周の周りに配設され、ボス５３１３の外側面から離間される。
【００７２】
[00100]
第２の組付部５３２は、互いに対向する第１の側５３２１及び第２の側５３２２と、第１の側５３２１及び第２の側５３２２と連結される第３の側５３２３とを含む。この実施形態では、第１の側５３２１及び第２の側５３２２は、Ｘ軸方向に延在し、第３の側５３２３は、Ｙ軸方向に延在する。
【００７３】
[00101]
カバー５１に隣接する第２の組付部５３２の面には、１対のスナップ嵌合部５３２４、１対の案内部５３２５、１対の支持ポスト５３２６、２対の内側止め部５３２７、及び１対の外側止め部５３２８が形成され、これらは、全て、Ｚ軸方向に延在する。
【００７４】
[00102]
スナップ嵌合部５３２４は、それぞれ、第１の側５３２１及び第２の側５３２２に位置し、並列に配置され、互いに離間されて、保護カバー７０を掛止する。各スナップ嵌合部５３２４は、掛止開口部５３２９を形成する。この実施形態では、掛止開口部５３２９は、略矩形である。
【００７５】
[00103]
案内部５３２５は、第３の側５３２３に配設され、互いに離間される。各案内部５３２５は、略Ｌ字状の断面を有する。各案内部５３２５は、保護カバー７０を案内するための案内溝５３２０を形成する。
【００７６】
[00104]
支持ポスト５３２６は、１対の案内部５３２５の間で、第３の側５３２３に配設される。支持ポスト５３２６の高さは、案内部５３２５の高さよりも小さい。支持ポスト５３２６は、ヨーク１４５を支持し、第１の絶縁板１１３１及び第３の絶縁板１１６１に抵抗するように構成される。２対の内側止め部５３２７の一方の対は、第１の側５３２１に隣接して配設され、他方の対は、第２の側５３２２に隣接して配設される。外側止め部５３２８は、それぞれ、第１の側５３２１及び第２の側５３２２に配設される。各外側止め部５３２８は、関連する１対の内側止め部５３２７から或る距離離間されて、保護カバー７０を挿入及び位置決めすることができる。
【００７７】
[00105]
保護カバー７０、及び第１の接続端子１３０及び第２の接続端子１３１は、一緒に、電源ソケットを形成する。保護カバー７０は、巻線ブラケット１１、接続部材１２、ステータコア１４の一部、巻線１６及び回路板１７を覆い、ベース本体５０の第２の組付部５３２と連結される。２つの接続端子１３は、保護カバー７０の外側に露出されて、電源と接続する。好ましくは、保護カバー７０及び２つの接続端子１３は、一緒に、電源ソケットを形成し、それに、外部プラグが直接挿入される。
【００７８】
[00106]
また、図１７を参照すると、保護カバー７０は、第１の側壁７１と、第１の側壁７１に対向する第２の側壁７２と、第１の側壁７１及び第２の側壁７２と連結される第３の側壁７３と、第３の側壁７３と連結される第４の側壁７４と、４つの側壁と連結される端壁７５とを含む。第１の側壁７１及び第２の側壁７２は、ＸＺ平面に沿って配設され、第３の側壁７３及び第４の側壁７４は、ＹＺ平面に沿って配設される。
【００７９】
[00107]
係止部７１１が、第１の側壁７１及び第２の側壁７２からそれぞれ突出し、掛止開口部５３２９に着脱可能に係合されるように構成される。更に、第１の側壁７１及び第２の側壁７２は、各々、第４の側壁７４に隣接する円弧回避溝７１３を形成して、２つの位置決めポスト５３１１を回避する。
【００８０】
[00108]
第３の側壁７３は、ヨーク１４５を通すための開口部７３１を形成する。開口部７３１の２つの側は、案内部５３２５の案内溝５３２０に挿入され、収容されるように構成される。第４の側壁７４は、ステータ極１４１を通すため、別の開口部７４１を形成し、開口部７４１の端縁は、ステータ極１４１及びカバー５１に当接するように構成される。位置決め部７７１が、第４の側壁７４から突出して、ステータ極１４１及びカバー５１に作用する押圧力を増加させ、押圧面積を増加させることにより、位置決めをより確実にする。端子収容部７７が、第２の側壁７２と第４の側壁７４との間の連結領域から突出する。同様に、複数の位置決め部７７１は、端子収容部７７の外側壁から突出することによって、押圧面積及びステータ極１４１、カバー５１及び取付部５３への押圧力を増加させ、ひいては、位置決めをより確実にする。更に、端子収容部７７の上面には、２つの挿入スロット７７３が形成され、各挿入スロット７７３の下方に、貫通スロット７７５が形成される。挿入スロット７７３は、幅が、貫通スロット７７５よりも大きい。２つの接続端子１３の接続端部１３１７及び接続端部１３３７は、それぞれ、貫通スロット７７５を貫通した後、２つの挿入スロット７７３に収容される。
【００８１】
[00109]
端壁７５は、段付き壁であり、第１の端面７５１と、第２の端面７５２と、第１の端面７５１及び第２の端面７５２と連結される複数の側面とを含む。第１の端面７５１及び第２の端面７５２は、ＸＹ平面に沿って配設される。第１の端面７５１は、第２の端面７５２よりも大きい高さを有する。端子収容部７７は、第１の端面７５１よりも大きい高さを有する。
【００８２】
[00110]
第１の端面７５１は、２つの第１の収容スロット７５１１を形成する。各第１の収容スロット７５１１の端縁から、第１の押圧タブ７５１３が突出し、各第１の押圧タブ７５１３は、対応する第１の収容スロット７５１１に収容される。各第１の押圧タブ７５１３は、保護カバー７０に向かってわずかに傾斜する末端を有する。各第１の押圧タブ７５１３の内面から、押圧突出部７５１５が突出し、押圧突出部７５１５は、第１の押圧タブ７５１３の末端に配設される。
【００８３】
[00111]
第２の端面７５２は、第２の収容スロット７５２２及び２つの第３の収容スロット７５２３を形成する。２つの第３の収容スロット７５２３は、第２の収容スロット７５２２よりも、第３の側壁７３に近く、第２の収容スロット７５２２は、２つの第３の収容スロット７５２３の間に位置する。第２の収容スロット７５２２は、感温スイッチ１７５の位置に対応して位置し、２つの第３の収容スロット７５２３は、それぞれ、第１の絶縁板１１３１及び第３の絶縁板１１６１の位置に対応して位置する。
【００８４】
[00112]
第２の収容スロット７５２２の端縁から、第２の押圧タブ７５２４が突出する。各第３の収容スロット７５２３の端縁から、第３の押圧タブ７５２５が突出する。この実施形態では、第２の押圧タブ７５２４は、２つの第３の押圧タブ７５２５に対して略垂直である。第２の押圧タブ７５２４は、Ｙ軸と並列に配設され、第３の押圧タブ７５２５は、Ｘ軸と並列に配設される。第２の押圧タブ７５２４の長さは、各第３の押圧タブ７５２５の長さよりも大きい。第２の押圧タブ７５２４及び第３の押圧タブ７５２５は、各々、保護カバー７０に向かってわずかに傾斜する末端を有する。第２の押圧タブ７５２４の内面から、少なくとも１つの押圧突出部７５２６が突出する。この実施形態では、互いに離間される３つの押圧突出部７５２６がある。各第３の押圧タブ７５２５の内面から、押圧突出部７５２７が突出し、押圧突出部７５２７は、第３の押圧タブ７５２５の末端に配設される。第２の押圧タブ７５２４の押圧突出部は、感温スイッチ１７５に当接する。２つの第３の押圧タブ７５２５の押圧突出部７５２７は、それぞれ、第１の絶縁板１１３１及び第３の絶縁板１１６１に当接する。
【００８５】
[00113]
第１の押圧タブ７５１３、第２の押圧タブ７５２４及び第３の押圧タブ７５２５の各々と１つの対応する収容スロットの端縁との間の連結領域に、連結補強構造７５５が形成されることにより、端壁７５に対する各押圧タブの連結を補強する。各連結補強構造７５５は、１つの対応する収容スロットの端縁に配設される補強突出部７５５１と、補強突出部７５５１を対応する押圧タブに連結する補強部７５５２とを含む。この実施形態では、補強突出部７５５１は、概ね板状であり、補強部７５５２は、略三角形状であり、補強突出部７５５１は、補強部７５５２に対して略垂直である。別の実施形態では、第１の押圧タブ７５１３、第２の押圧タブ７５２４及び第３の押圧タブ７５２５のうちの１つ、２つ又は全ては、省略することができることを理解されたい。
【００８６】
[00114]
モータ１の組立は、以下のステップを含むことができるが、これに限られない。
【００８７】
[00115]
ロータ３０の組立：回転軸３１は、磁石３３を貫通し、第１の軸受３７及び第２の軸受３９は、回転軸３１の２つの端部の周囲に取り付けられる。
【００８８】
[00116]
ロータ３０とベース本体５０との組付：ベース本体５０のカバー５１は、ロータ３０を覆うように載置され、第１の軸受３７及び第２の軸受３９の周囲に取り付けられる。
【００８９】
[00117]
図１８を参照すると、ステータ１０の組立は、以下のステップを含む。
【００９０】
[00118]
ステップ１０１：接続部材１２及び２つの接続端子１３は、例えば、接続部材１２及び２つの接続端子１３を、それぞれ、第１の収容スロット１１４１及び２つの第２の収容スロット１１７１に挿入することによって、巻線ブラケット１１に配置される。
【００９１】
[00119]
ステップ１０２：巻線ブラケット１１の周りに、ワイヤが巻き付けられて、巻線を形成する。また、図１９を参照すると、巻線の形成は、以下の詳細なステップを含む。
【００９２】
[00120]
ステップ１０２０：第１のブラケット１１１及び第２のブラケット１１２は、互いに相対的に回転されて、巻き付けを容易にする。この実施形態では、第１のブラケット１１１及び第２のブラケット１１２は、第３の絶縁板１１６１が第１の絶縁板１１３１と積層される位置に回転され、２つの第２のスナップ嵌合部１１６４は、それぞれ、２つの第１のスナップ嵌合部１１３４と係合されて、第１のブラケット１１１の巻線コラム１１３０及び第２のブラケット１１２の巻線コラム１１６０は、同じ直線上に配置される。
【００９３】
[00121]
ステップ１０２１：ワイヤの一端は、例えば、ワイヤを接続部材１２のワイヤ接続部１２３に巻き付けることによって、接続部材１２に接続される。この実施形態では、ワイヤは、ワイヤ接続部１２３に数回巻き付けられて、ワイヤの一端を固定する。
【００９４】
[00122]
ステップ１０２２：ワイヤは、第２の絶縁板１１３２のワイヤ締め付け溝１１３５に通され、第１のブラケット１１１の巻線コラム１１３０の周りに巻き付けられる。
【００９５】
[00123]
ステップ１０２３：ワイヤは、第３の絶縁板１１６１のワイヤ案内溝１１６５に通され、次に、第２のブラケット１１２の巻線コラム１１６０の周りに巻き付けられる。
【００９６】
[00124]
ステップ１０２４：第２のスナップ嵌合部１１６４と第１のスナップ嵌合部１１３４との間の係合が、解除される。
【００９７】
[00125]
ステップ１０２５：第１のブラケット１１１及び第２のブラケット１１２は、第１のブラケット１１１及び第２のブラケット１１２が互いに並列に配置される位置に対して、相対的に回転される。
【００９８】
[00126]
ステップ１０２６：ワイヤの他端は、ワイヤ締め付け溝１１６６を通った後、例えば、ワイヤを第２の接続端子のワイヤ接続部１３１３に巻き付けることによって、第２の接続端子１３１に接続される。
【００９９】
[00127]
ステップ１０２７：ワイヤは、切断される。
【０１００】
[00128]
ステップ１０３：回路板１７は、巻線ブラケット１１に固定され、例えば、接続部材１２の接続部１２７及び第１の接続端子１３０の接続部１３３３を回路基板１７１の２つの挿入開口部１７１１に挿入することによって、接続部材１２及び第１の接続端子１３０と電気的に接続される。
【０１０１】
[00129]
ステップ１０４：接続部材１２のワイヤ接続部１２３に巻き付けられるワイヤは、ワイヤ接続部１２３にはんだ付けされ、第２の接続端子１３１のワイヤ接続部１３１３に巻き付けられるワイヤは、ワイヤ接続部１３１３にはんだ付けされ、回路基板１７１及び接続部材１２の接続部１２７は、はんだ付けされ、回路基板１７１及び第１の接続端子１３０の接続部１３３３は、はんだ付けされる。
【０１０２】
[00130]
ステップ１０５：巻線ブラケット１１は、ステータコア１４に取り付けられる。すなわち、ステータコア１４の２つの分岐部１４３は、それぞれ、第１のブラケット１１１及び第２のブラケット１１２に通され、連結部１４４と係合される。
【０１０３】
[00131]
組み付けられたロータ３０及びベース本体５０は、全体として、ステータコア１４のステータ極１４１に通される。
【０１０４】
[00132]
保護カバー７０は、巻線ブラケット１１、接続部材１２、ステータコア１４の一部、巻線１６及び回路板１７を覆うように載置され、ベース本体５０と係止される。２つの接続端子１３は、それぞれ、２つの貫通スロット７７５を貫通した後、２つの挿入スロット７７３に収容される。
【０１０５】
[00133]
他の実施形態では、組立順は変更することができることを理解されたい。例えば、ステップ１０３の回路板１７の取り付けは、ステップ１０５の後、又は、保護カバー７０で覆う前に、行うことができる。ステップ１０４のはんだ付け作業時、２つのワイヤ接続部へのワイヤのはんだ付けは、それぞれの第１のブラケット及び第２のブラケットの周りの巻き付けが完了したか又は全巻き付けが完了した直後に、行うことができ、回路基板１７１のはんだ付けは、保護カバー７０が取り付けられる前に、行うことができる。ワイヤを接続するとき、ワイヤは、最初に、接続部材１２に接続することができるか、又は、代替的に、最初に、電源端子に接続することができる。ステータの組立の際、巻線ブラケットを用いなくてもよい。代わりに、絶縁の目的のため、絶縁紙又は絶縁層などの他の絶縁部材を用いることができる。
【０１０６】
[00134]
上記の巻き付け工程時、接続端子１３及び接続部材１２は、巻線ブラケット１１に配設される。したがって、巻き付け工程時、ワイヤは、まず、接続部材１２及び接続端子１３の一方に巻き付けられ、次に、巻線ブラケット１１の周りに巻き付けられ、最後に、接続部材１２及び接続端子１３の他方の周りに巻き付けられて、巻線１６を形成することができる。したがって、この工程時、全巻き付け工程及び次のはんだ付け工程は、既存の自動化機器によって、自動的に行うことができ、これにより、手動巻き付けの時間及びコストを大きく低減する。更に、巻き付け工程時、２つのワイヤ締め付け溝及びワイヤ案内溝を用いて、ワイヤを案内し、これにより、自動巻き付け工程を更に容易にし、完成した巻線において、より整然としたワイヤ配置になる。
【０１０７】
[00135]
更に、ステータ１０の組立工程時、自動巻き付け工程の他に、回路板１７の取り付けも、自動的に行うことができる。回路板１７を取り付ける際、自動化機器を用いて、接続部材１２及び接続端子１３を回路板に挿入した状態で、回路板を巻線ブラケット１１に載置することができ、次に、はんだ付け工程を行い、これにより、更に、組立工程の自動化を実現する。
【０１０８】
[00136]
別の実施形態では、回路板１７は、接続部材１２及び第１の接続端子１３０のみに取り付けるか、又は、巻線ブラケット１１のみに取り付けることができる。回路板１７が、接続部材１２及び第１の接続端子１３０に取り付けられるか、又は、ロータに隣接する巻線ブラケットの一端に取り付けられると、磁気センサ１７６を、ロータに隣接して配置することができる。上記の回路板の取り付け方法のみが望まれる別の実施形態では、モータ１の他の部品は、既存のモータと同じにすることができ、例えば、ワイヤは、この実施形態では、本明細書に記載されるものと異なるように、巻き付け、接続することができ、ベース本体５０は、省略することができることを理解されたい。
【０１０９】
[00137]
接続部材１２及び接続端子１３は、巻線ブラケット１１に配設され、回路板１７は、接続部材１２及び第２の接続端子１３１と電気的に接続され、巻線の２つのワイヤ端部は、それぞれ、接続部材１２及び第１の接続端子１３０と電気的に接続される。したがって、巻線のワイヤ端部を回路板１７に直接接続する必要がない。この接続構造は、接続部材及び接続端子を用い、これにより、ワイヤの巻き付け及び回路板１７の取り付けを容易にし、自動化された巻き付け工程及び回路板取り付け工程を実現し易くする。
【０１１０】
[00138]
この実施形態では、モータの２つの接続端子１３は、ロータ又はステータ極に隣接する巻線ブラケット１１の同じ端部に配設される。したがって、第２の接続端子１３１と電気的に接続される回路板１７は、同様に、ロータ又はステータ極に隣接し、これにより、回路板１７の磁気センサ１７６を、ロータに隣接して配設し易くして、ロータの回転を検出するようになっている。更に、２つの接続端子１３を同じ端部に配設することによって、はんだ付け・巻き付け工程時の自動化機器の移動を低減するとともに、他の部品の配置を容易にする。
【０１１１】
[00139]
２つの接続端子１３を、ロータに隣接する同じ端部に配設することのみが望まれる別の実施形態では、モータの他の部品は、既存のモータと同じにすることができ、例えば、ワイヤは、この実施形態では、本明細書に記載されるものと異なるように、巻き付け、接続することができ、回路板１７の取り付け構造は、異なって構成することができ、ベース本体５０は、省略することができることを理解されたい。
【０１１２】
[00140]
この実施形態の２つの接続端子１３の配置は、既存のモータのそれとは異なる。既存のモータでは、端子は、通常、巻線ブラケットの２つのブラケットに配置され、一方、この実施形態の２つの接続端子１３は、巻線ブラケットの同じブラケットに配置される。その結果、モータは、コンパクトな内部構造を有し、これにより、他の部品の配置を容易にする。
【０１１３】
[00141]
図２０を参照すると、本発明の一実施形態による換気ファン５００は、インペラ３００及び単相モータ１００を含む。インペラ３００は、単相モータ１００の回転軸３１の一端に取り付けられる取付部３０１を含み、インペラ３００は、回転軸３１によって回転駆動される。この実施形態では、単相モータ１００は、単相同期交流モータである。従来のくま取り磁極モータと比較して、本発明の単相モータは、コンパクトな構造を有し、修理や交換がしやすい。この実施形態では、インペラ３００は、遠心インペラであり、単相モータ１００の大きさよりも著しく大きい外径を有する。
【０１１４】
[00142]
図２１を参照すると、単相モータ１００は、ステータ２０と、ステータ２０に対して相対的に回転可能なロータ３０とを含む。ステータ２０は、ステータコア２１と、ステータコア２１に取り付けられる絶縁ブラケット２２と、絶縁ブラケット２２の周りに巻き付けられる巻線２３とを含む。この実施形態では、ＰＣＢ基板（プリント回路基板）２００が、巻線２３に隣接する絶縁ブラケット２２に取り付けられる。ＰＣＢ基板２００は、インペラ３００と反対側の絶縁ブラケット２２の１つの側に取り付けられることが好ましい。これにより、単相モータ１００の構造のコンパクト化、且つ、単相モータ１００の小型化が可能になる。更に、インペラ３００の作動時、インペラ３００の中心領域に、低圧領域が形成されることにより、この低圧領域に外気を流し、単相モータ１００、ＰＣＢ基板２００及び巻線２３は、この低圧領域に配置される。したがって、ＰＣＢ基板２００とインペラ３００との間に、流路が存在することにより、空気が流路を流れることができる。この気流は、ＰＣＢ基板２００の上方を流れ、ＰＣＢ基板２００を直接冷却することができるので、ＰＣＢ基板２００の寿命を長くすることができる。インペラ３００の外径は、単相モータ１００の大きさよりも著しく大きいので、ＰＣＢ基板２００は、十分に冷却することができる。代替実施形態では、インペラ３００は、軸流インペラにすることもできる。
【０１１５】
[00143]
ステータ２０は、更に、ステータコア２１の軸方向の２つの側にそれぞれ取り付けられる第１の支持ブラケット２４及び第２の支持ブラケット２５を含む。ステータコア２１は、磁気伝導性材料からなる。第１の支持ブラケット２４及び第２の支持ブラケット２５は、ロータ３０の回転軸３１を支持するように構成される。第１の支持ブラケット２４及び第２の支持ブラケット２５は、軸方向の連結機構２６を介して、互いに連結されて、第１及び第２の支持ブラケット２４，２５の間に、ステータコア２１を挟むようになっている。この実施形態では、第１の支持ブラケット２４及び第２の支持ブラケット２５の各々は、一体形成部材であり、作製しやすい。第１の支持ブラケット２４及び第２の支持ブラケット２５に、軸受座が配設されて、軸受２４ａ，２５ａ（図２６）をそれぞれ取り付ける。２つの軸受２４ａ，２５ａは、回転軸３１が、ステータ２０に対して相対的に回転可能なように、回転軸３１を支持する。
【０１１６】
[00144]
連結機構２６は、ねじ２６１と、関連するねじナット２６２と、位置決めスリーブ２６３とを含む。第１の支持ブラケット２４及び第２の支持ブラケット２５は、ねじ２６１を貫通させるための貫通穴を形成する。位置決めスリーブ２６３は、ねじ２６１の周囲に取り付けられ、第１の支持ブラケット２４と第２の支持ブラケット２５との間に配設されて、第１の支持ブラケット２４及び第２の支持ブラケット２５を、軸方向に位置決め且つ支持し、外観を良くする。
【０１１７】
[00145]
図２２を参照すると、この実施形態では、絶縁ブラケット２２は、一体に形成される第１の絶縁ブラケット２２１及び第２の絶縁ブラケット２２６を含む。第１の絶縁ブラケット２２１及び第２の絶縁ブラケット２２６は、それぞれ、一体に形成された主部２２２，２２７を含む。主部２２２の２つの端部に、側板２２３ａ，２２３ｂが形成され、主部２２７の２つの端部に、側板２２８ａ，２２８ｂが形成される。主部２２２，２２７は、ステータコア２１の周囲に取り付けられる。巻線２３は、主部２２２，２２７の周りにそれぞれ巻き付けられる第１の巻線及び第２の巻線を含む。
【０１１８】
[00146]
第１の絶縁ブラケット２２１及び第２の絶縁ブラケット２２６の一方の側板２２３ａ及び一方の側板２２８ａの上端は、それぞれ、突出する第１の取付部２２４，２２９を形成する。第１の絶縁ブラケット２２１及び第２の絶縁ブラケット２２６の他方の側板２２３ｂ及び他方の側板２２８ｂの上端は、それぞれ、突出する第２の取付部２２５，２３０を形成する。第１の取付部２２４，２２９及び第２の取付部２２５，２３０は、ＰＣＢ基板２００を取り付けるように構成される。
【０１１９】
[00147]
第１の絶縁ブラケット２２１の第１の取付部２２４及び第２の絶縁ブラケット２２６の第１の取付部２２９は、支持部２２４ａ，２２９ａと、支持部２２４ａ，２２９ａの上端にそれぞれ配設される連結部材２２４ｂ，２２９ｂとを含む。支持部２２４ａ，２２９ａは、側板２２３ａ，２２８ａと同一平面上にある。連結部材２２４ｂ，２２９ｂは、ＰＣＢ基板２００の第１の貫通穴を貫通して、ＰＣＢ基板２００を、位置決め且つ固定連結する。支持部２２４ａ，２２９ａの上端は、ＰＣＢ基板２００の下側に当接して、ＰＣＢ基板２００を支持する。
【０１２０】
[00148]
第１の絶縁ブラケット２２１の第２の取付部２２５の上端は、ＰＣＢ基板２００の下側に当接して、ＰＣＢ基板２００を支持する。第２の絶縁ブラケット２２６の第２の取付部２３０は、支持部２３３と、支持部２３３に配設される２つの平行な連結部材２３１，２３２とを含む。支持部２３３は、ＰＣＢ基板２００の下側に当接して、ＰＣＢ基板２００を支持する。２つの連結部材２３１，２３２の端部には、それぞれ、２つの突刺部２３４が形成される。２つの連結部材２３１，２３２は、ＰＣＢ基板２００の第２の貫通穴を貫通し、突刺部２３４は、ＰＣＢ基板２００の上側と係合されて、ＰＣＢ基板２００を保持し、ＰＣＢ基板２００がゆるむのを防ぐ。
【０１２１】
[00149]
図２３を参照すると、ステータコア２１は、略Ｕ字状のヨーク２７と、ヨーク２７の２つの対向する側部から互いに向かって延在する２つの極部（ステータ極とも呼ばれる）２１１とを含む。第１の絶縁ブラケット２２１及び第２の絶縁ブラケット２２６は、２つの対向する側部にそれぞれ取り付けられる。各極部２１１は、極部２１１の２つの側から延在する短極片２１１ａ及び長極片２１１ｂを含む。極部２１１の非対称性のため、単相モータ１００は、互いに反対方向に異なる起動能力を有する。すなわち、一方の起動方向の起動能力は、他方の起動方向の起動能力よりも大きい。２つの極部２１１の間に、各極部２１１の短極片２１１ａ及び他方の極部２１１の長極片２１１ｂが、互いに隣接して配置され、両者間にスロット開口部２１２を形成する。このように、スロット開口部２１２の中心は、ステータコア２１の長さ方向に沿って、ステータコア２１の中心線又は対称軸Ｌ２からオフセットされる。２つのスロット開口部２１２の中心を結ぶ線Ｌ１は、対称軸Ｌ２に対して、０〜３０度の角度だけ傾斜している。この設計によって、２つの極部２１１の間の磁気抵抗を大きくし易くなり、これにより、インダクタンスを低減し、１方向起動能力及び作動効率を高め、力率を上げる。この実施形態では、それぞれのスロット開口部２１２に対向する各極部２１１の短極片２１１ａ及び長極片２１１ｂの端面は、線Ｌ１に対して平行である。各極部２１１の長極片２１１ｂは、斜切部２１１ｃを有し、長極片２１１ｂの半径方向の厚さが、それぞれのスロット開口部２１２に向かう方向に漸減するようになっていることによって、インダクタンスを低減し、単相モータ１００の１方向起動能力を高める。
【０１２２】
[00150]
図２４を参照すると、ロータ３０は、２つの極部２１１の短極片２１１ａ及び長極片２１１ｂによって形成される空間に収容される。各極部２１１は、ロータ３０に対向する位置決め溝２１３を形成する。位置決め溝２１３は、極部２１１の中心からオフセットされ、長極片２１１ｂから遠ざけられる。この構成によって、各極部２１１の長極片２１１ｂと短極片２１１ａとの間の長さの差が更に大きくなることによって、ロータ３０の停止位置をより良好に制御して、ロータ３０の停止位置が、死点からオフセットされ、ロータ３０が、他方の方向よりも一方の方向に始動し易くなる。位置決め溝２１３の底部は、円弧形状であることが好ましい。位置決め溝２１３の底部は、Ｖ字状にすることもできることを理解されたい。
【０１２３】
[00151]
ロータ３０の外周面は、ステータ２０の軸方向平面図で見て、同じ円周上に位置する。各極部２１１の短極片２１１ａ及び長極片２１１ｂの内面は、内方に凹んだ円弧極面である。短極片２１１ａ及び長極片２１１ｂの極面は、ステータ２０の軸方向平面図で見て、同じ円周上に位置する。短極片２１１ａ及び長極片２１１ｂの極面は、ロータ３０の外周面と同心である。すなわち、短極片２１１ａ及び長極片２１１ｂの極面及びロータ３０の外周面は、全て、ロータ３０の中心を、中心とする。したがって、短極片２１１ａ，長極片２１１ｂとロータ３０との間に、均一な厚さの空隙２１４が形成され、これにより、単相モータ１００の起動の円滑性、安定性、ひいては信頼性を向上させることができる。
【０１２４】
[00152]
この実施形態では、スロット開口部２１２は、空隙２１４の厚さｄ３よりも大きい幅（すなわち、スロット開口部２１２の両側の短極片２１１ａと長極片２１１ｂとの間の距離）を有する。
【０１２５】
[00153]
この実施形態では、ステータコア２１全体の外形は、矩形状である。ステータコア２１の幅をＷで示し、ロータ３０の外径をＤで示すと、ロータ３０の外径Ｄは、ステータコア２１の幅Ｗの５０％〜７０％である。この構成によって、単相モータ１００の小型化及びコスト低減を行うことにより、単相モータ１００のコスト効率を良くする。
【０１２６】
[00154]
図２５を参照すると、ステータコア２１は、開口部を有するフレーム状である。ステータコア２１は、磁気伝導性連結片２１７によって連結される第１のコア部２１５及び第２のコア部２１６を含む。第１の絶縁ブラケット２２１の主部２２２及び第２の絶縁ブラケット２２６の主部２２７は、それぞれ、第１のコア部２１５及び第２のコア部２１６の周囲に取り付けられる。
【０１２７】
[00155]
第１のコア部２１５の第１の端部２１５ａ及び第２のコア部２１６の第１の端部２１６ａには、それぞれ、ダブテールほぞ穴２１８ａ，２１８ｂが形成される。磁気伝導性連結片２１７の２つの対向する端部には、それぞれ、ダブテールほぞ２１９ａ，２１９ｂが形成される。ダブテールほぞ２１９ａ，２１９ｂは、ダブテールほぞ穴２１８ａ，２１８ｂに係合されて、第１のコア部２１５、第２のコア部２１６及び磁気伝導性連結片２１７は、互いに係止連結される。第１のコア部２１５の第２の端部２１５ｂ及び第２のコア部２１６の第２の端部２１６ｂは、それぞれ、２つの対向する極部２１１を形成する。
【０１２８】
[00156]
この実施形態では、第１のコア部２１５及び第２のコア部２１６の両方は、Ｆ字状である。
【０１２９】
[00157]
代替実施形態では、第１のコア部２１５及び第２のコア部２１６の両方は、Ｅ字状である。
【０１３０】
[00158]
第１のコア部２１５及び第２のコア部２１６は、磁気伝導性連結片２１７を用いることなく、第１のコア部２１５の第１の端部２１５ａのダブテールほぞ穴／ダブテールほぞと、第２のコア部２１６の第１の端部２１６ａのダブテールほぞ／ダブテールほぞ穴との間の係合によって、直接連結することもできることを理解されたい。
【０１３１】
[00159]
図２６を参照すると、ロータ３０は、回転軸３１と、ロータ本体３２と、緩衝装置３５０とを含む。ロータ本体３２は、回転軸３１の周囲に取り付けられる。回転軸３１は、２つの軸受２４ａ，２５ａによって支持される。２つの軸受２４ａ，２５ａは、ロータ本体３２の２つの端部の外側に配置されて、ロータ３０は、ステータ２０に対して相対的に回転可能である。ロータ本体３２は、磁性部材取付ブラケット２９及び永久磁石部材３４を含む。磁性部材取付ブラケット２９は、射出成形部品である。永久磁石部材３４は、磁性部材取付ブラケット２９の外側に取り付けられ、永久磁石部材３４の外周面は、ロータの軸方向平面図で見て、同じ円周上に位置する。
【０１３２】
[00160]
特に、図２７及び図２８を参照すると、ロータ本体３２及び回転軸３１は、互いに滑り嵌めをなし、両者間の回転速度差を見込む。緩衝装置３５０は、ロータ本体３２内に配設され、回転軸３１の周囲に取り付けられる。緩衝装置３５０は、ロータ本体３２に連結される一端を有し、緩衝装置３５０の他端は、回転軸３１に連結されて、時間遅れで、ロータ本体３２と回転軸３１との回転速度を同期させて、これにより、モータ１００の起動の失敗又は停止の発生を効果的に低減又は排除することができる。緩衝装置３５０は、ロータ本体３２の内部に配設されるので、単相モータ１００の回転軸３１の一端は、負荷に直接連結され、その結果、モータ１００の構造がよりコンパクトになり、モータ１００の修理や交換が容易になる。
【０１３３】
[00161]
ロータ本体３２の磁性部材取付ブラケット２９は、中空円筒部３６と、中空円筒部３６の下端の周囲に固定して取り付けられる下部カバー３７ｂと、中空円筒部３６の上端に形成されるスリーブリング３８とを含む。中空円筒部３６及びスリーブリング３８は、射出成形一体部品であり、作製しやすくすることができる。永久磁石部材３４は、中空円筒部３６の外側に取り付けられる２つの円弧状の永久磁石部材３４ａ，３４ｂによって形成される。２つの軸受３２ａ，３２ｂが、それぞれ、中空円筒部３６の２つの端部内に取り付けられる。２つの軸受３２ａ，３２ｂは、回転軸３１と滑り嵌めをなし、これにより、ロータ本体３２は、回転軸３１に対して相対的に回転自在である。緩衝装置３５０は、２つの軸受３２ａ，３２ｂの間に配設され、これにより、ロータ本体３２の軸方向のずれを防ぐことができる。
【０１３４】
[00162]
スリーブリング３８及び下部カバー３７ｂは、対向する溝を有し、下部カバー３７ｂの溝３７ａは、スリーブリング３８の溝（図では見えない）に対向する。永久磁石部材３４の２つの端部は、溝に係合されて、永久磁石部材３４を軸方向に位置決めする。
【０１３５】
[00163]
緩衝装置３５０は、弾性部材３５１と、弾性部材３５１の２つの端部に連結される第１の連結ベース３５２及び第２の連結ベース３５３とを含む。弾性部材３５１及び第１の連結ベース３５２は、回転軸３１の周囲に移動可能に取り付けられ、第２の連結ベース３５３は、回転軸３１の周囲に固定して取り付けられる。中空円筒部３６は、緩衝装置３５０の外周側を取り囲む。第１の連結ベース３５２は、中空円筒部３６に連結される。具体的には、この実施形態では、第１の連結ベース３５２は、４つの周方向に配置された突出ブロック３５２ａを含み、中空円筒部３６の内壁面は、突出ブロック３５２ａと係合される溝３６ａを含み、第１の連結ベース３５２を中空円筒部３６と連結するようになっている。
【０１３６】
[00164]
ロータ３０は、更に、回転軸３１に固定して取り付けられ、第２の連結ベース３５３から離れたロータ本体３２の一端の外側に配設される制限リング４０を含む。このように、ロータ本体３２の２つの端部は、それぞれ、第２の連結ベース３５３及び制限リング４０によって、位置が制限される。単相モータ１００の作動時、制限リング４０は、ロータ本体３２を軸方向に制限し、これにより、ロータ本体３２の軸方向の移動を防ぐ。
【０１３７】
[00165]
この実施形態では、緩衝装置３５０は、更に、弾性スリーブ３５４を含む。スリーブ３５４は、中空円筒部３６の内側に配設され、弾性部材３５１の外周側を取り囲む。スリーブ３５４の２つの端部は、それぞれ、第１の連結ベース３５２及び第２の連結ベース３５３に固定連結される。好ましくは、スリーブ３５４の材料は、ゴム又は発泡プラスチックなどの軟質材料であり、これにより、一方で、緩衝及び騒音低減の結果が得られ、他方で、弾性部材３５１の外径が大きくなると、弾性部材３５１が、中空円筒部３６に直接衝突するのを防ぐ。
【０１３８】
[00166]
この実施形態では、弾性部材３５１は、回転軸３１の周囲に移動可能に取り付けられるつる巻ばねである。モータ１００が始動を開始すると、ロータ本体３２は、ステータ２０の電磁力の駆動により回転する。回転軸３１の一端は、負荷と直接連結されて、回転軸３１が、大きい慣性を有するようになっており、回転軸３１は、ロータ本体３２と滑り嵌めをなす。したがって、このとき、ロータ本体３２の回転速度は、回転軸３１の回転速度よりも大きい。すなわち、ロータ本体３２と回転軸３１との間に、回転速度差がある。つる巻ばねは、ロータ本体３２の回転によって引っ張られて、第１の連結ベース３５２に連結されるつる巻ばねの端部は、その内径が徐々に小さくなりながら、締められる。その結果、第２の連結ベース３５３に連結されるつる巻ばねの端部も、徐々に締められ、ロータ本体３２の回転速度は、最終的に、回転軸３１の回転速度と同期して、これにより、起動時の負荷による単相モータ１００の慣性を効果的に低減する。モータ１００が作動状態から停止すると、負荷の大きい回転慣性により、回転軸３１の回転速度は、ロータ本体３２の回転速度よりも大きい。すなわち、ロータ本体３２と回転軸３１との間に、回転速度差があり、第２の連結ベース３５３に連結されるつる巻ばねの端部は、その内径が徐々に大きくなりながら、徐々に緩められる。その結果、第１の連結ベース３５２に連結されるつる巻ばねの端部も、徐々に緩められ、ロータ本体３２の回転速度は、最終的に、回転軸３１の回転速度と同期して、負荷を効果的に低減することができる。この間、スリーブ３５４は、つる巻ばねを取り囲み、これにより、つる巻ばねが、その内径が大きくなりすぎて、損傷するのを防ぐ。
【０１３９】
[00167]
本発明の単相モータ１００は、コンパクトな構造を有し、１方向起動能力が強く、作動効率が高く、力率が高く、低コストであるという利点がある。したがって、本発明の実施形態の単相モータ１００を用いる換気ファン５００は、作動効率が高く、低コストで、長寿命である。
【０１４０】
[00168]
本発明の単相モータ１００は、単相モータ１００の１方向起動要件を有する装置、例えば、暖気機、エアコンディショナ又は水ポンプ等に用いることもできることを理解されたい。
【０１４１】
[00169]
図２９は、本発明の実施形態の換気ファン５００を用いる電子装置７００を示す。電子装置７００は、外部ハウジング７０１と、外部ハウジング７０１の内部に配設される取付ブラケット７０２とを含む。換気ファン５００は、取付ブラケット７０２に取り付けられる。本発明の実施形態の換気ファン５００を用いる電子装置７００は、作動効率が高く、長寿命で、低コストである。電子装置７００は、例えば、換気装置、換気／冷却装置、レンジフード等にすることができる。
【０１４２】
[00170]
別の実施形態によるモータは、上記実施形態の構造の一部を含むことができ、他の構造は、既存の構造で代替することができ、例えば、巻線ブラケットは、他の絶縁構造又は他の絶縁手段で代替することができ、電子回路は、回路板を除いて、回路の全ての構造又は部品を含むことができることを理解されたい。
【０１４３】
[00171]
上記の実施形態は、本発明の好適な実施形態であり、これらを用いて、本発明の範囲を何ら限定するものではない。他の様々な修正は、発明の範囲から逸脱することなく、当業者にとって明らかであり、このような修正の全ては、本発明の範囲内である。
【符号の説明】
【０１４４】
１  モータ
２  インペラ
１０  ステータ
１１  巻線ブラケット
１２  接続部材
１３  接続端子
１４  ステータコア
１６  巻線
１７  回路板
２０  ステータ
２１  ステータコア
２２  絶縁ブラケット
２３  巻線
２４  第１の支持ブラケット
２４ａ  軸受
２５  第２の支持ブラケット
２５ａ  軸受
２６  連結機構
２７  ヨーク
２９  磁性部材取付ブラケット
３０  ロータ
３１  回転軸
３２  ロータ本体
３２ａ，３２ｂ  軸受
３３  磁石
３４  永久磁石部材
３４ａ，３４ｂ  永久磁石部材
３５  保持ブラケット
３６  中空円筒部
３６ａ  溝
３７  第１の軸受
３７ａ  溝
３７ｂ  下部カバー
３８  スリーブリング
３９  第２の軸受
４０  制限リング
５１  カバー
５３  取付部
７０  保護カバー
７１  第１の側壁
７２  第２の側壁
７３  第３の側壁
７４  第４の側壁
７５  端壁
７７  端子収容部
１００  単相モータ
１１１  第１のブラケット
１１２  第２のブラケット
１１３  第１の巻線部
１１４  第１の挿入部
１１５  第１の支持部
１１６  第２の巻線部
１１７  第２の挿入部
１１８  第２の支持部
１１９  第３の支持部
１２１  本体
１２３  ワイヤ接続部
１２５  固定部
１２７  接続部
１４１  ステータ極
１４３  ヨーク分岐部
１４４  連結部
１４５  ヨーク
１６１  第１のワイヤ端部
１６２  第２のワイヤ端部
１７１  回路基板
１７２  交流（ＡＣ）スイッチ
１７３  電圧降下抵抗器
１７５  感温スイッチ
１７６  磁気センサ
２００  ＰＣＢ基板
２１１  極部（ステータ極）
２１１ａ  短極片
２１１ｂ  長極片
２１１ｃ  斜切部
２１２  スロット開口部
２１３  位置決め溝
２１４  空隙
２１５  第１のコア部
２１５ａ  第１の端部
２１５ｂ  第２の端部
２１６  第２のコア部
２１６ａ  第１の端部
２１６ｂ  第２の端部
２１７  磁気伝導性連結片
２１８ａ，２１８ｂ  ダブテールほぞ穴
２１９ａ，２１９ｂ  ダブテールほぞ
２２１  第１の絶縁ブラケット
２２２  主部
２２３ａ，２２３ｂ  側板
２２４  第１の取付部
２２４ａ  支持部
２２４ｂ  連結部材
２２５  第２の取付部
２２６  第２の絶縁ブラケット
２２７  主部
２２８ａ，２２８ｂ  側板
２２９  第１の取付部
２２９ａ  支持部
２２９ｂ  連結部材
２３０  第２の取付部
２３１，２３２  連結部材
２３３  支持部
２３４  突刺部
２６１  ねじ
２６２  ねじナット
２６３  位置決めスリーブ
３００  インペラ
３０１  取付部
３５０  緩衝装置
３５１  弾性部材
３５２  第１の連結ベース
３５２ａ  突出ブロック
３５３  第２の連結ベース
３５４  弾性スリーブ
５００  換気ファン
５１１  収容空間
５３１  第１の組付部
５３２  第２の組付部
７００  電子装置
７０１  外部ハウジング
７０２  取付ブラケット
７１１  係止部
７１３  円弧回避溝
７３１  開口部
７４１  開口部
７５１  第１の端面
７５２  第２の端面
７５５  連結補強構造
７７３  挿入スロット
７７５  貫通スロット
１１３０  巻線コラム
１１３１  第１の絶縁板
１１３２  第２の絶縁板
１１３３  第１の貫通穴
１１３４  第１のスナップ嵌合部
１１３５  ワイヤ締め付け溝
１１４１  第１の収容スロット
１１４２  溝
１１５１  案内溝
１１６０  巻線コラム
１１６１  第３の絶縁板
１１６２  第４の絶縁板
１１６３  第２の貫通穴
１１６４  第２のスナップ嵌合部
１１６５  ワイヤ案内溝
１１６６  ワイヤ締め付け溝
１１７１  第２の収容スロット
１２５１  突出部
１３１１  本体
１３１３  ワイヤ接続部
１３１５  固定部
１３１７  接続端部
１３３１  本体
１３３３  接続部
１３３５  固定部
１３３７  接続端部
１４１１  通路
１４３１  突出部
１４５１  掛止溝
１７１１  挿入開口部
１７１３  第１の部分
１７１５  第２の部分
５３１１  位置決めポスト
５３１３  ボス
５３１５  位置制限部
５３１７  シールリング
５３２０  案内溝
５３２１  第１の側
５３２２  第２の側
５３２３  第３の側
５３２４  スナップ嵌合部
５３２５  案内部
５３２６  支持ポスト
５３２７  内側止め部
５３２８  外側止め部
５３２９  掛止開口部
７５１１  第１の収容スロット
７５１３  第１の押圧タブ
７５１５  押圧突出部
７５２２  第２の収容スロット
７５２３  第３の収容スロット
７５２４  第２の押圧タブ
７５２５  第３の押圧タブ
７５２６  押圧突出部
７５２７  押圧突出部
７５５１  補強突出部
７５５２  補強部
Ｄ  ロータの外径
ｄ３  空隙の厚さ
Ｌ１  スロット開口部の中心を結ぶ線
Ｌ２  ステータコアの対称軸
Ｗ  ステータコアの幅
【図１】
2017192293.tif 000005
【図２】
2017192293.tif 000006
【図３】
2017192293.tif 000007
【図４】
2017192293.tif 000008
【図５】
2017192293.tif 000009
【図６】
2017192293.tif 000010
【図７】
2017192293.tif 000011
【図８】
2017192293.tif 000012
【図９】
2017192293.tif 000013
【図１０】
2017192293.tif 000014
【図１１】
2017192293.tif 000015
【図１２】
2017192293.tif 000016
【図１３】
2017192293.tif 000017
【図１４】
2017192293.tif 000018
【図１５】
2017192293.tif 000019
【図１６】
2017192293.tif 000020
【図１７】
2017192293.tif 000021
【図１８】
2017192293.tif 000022
【図１９】
2017192293.tif 000023
【図２０】
2017192293.tif 000024
【図２１】
2017192293.tif 000025
【図２２】
2017192293.tif 000026
【図２３】
2017192293.tif 000027
【図２４】
2017192293.tif 000028
【図２５】
2017192293.tif 000029
【図２６】
2017192293.tif 000030
【図２７】
2017192293.tif 000031
【図２８】
2017192293.tif 000032
【図２９】
2017192293.tif 000033
【外国語明細書】
2017192293000001.pdf